(57)【特許請求の範囲】
【請求項１】
複数のコラムが配置された複数ページにわたる原稿上において、そのコラムの配置されない空きアドレスにおけるストックの配置を決定する装置であって、
複数のストックそれぞれに固有のストック識別データと、ストック配置規則と、空きアドレスデータとを記憶する記憶装置と、
ストック識別データと空きアドレスデータとストック配置規則とから各ストックの配置アドレスを決定するコンピュータと、
その決定結果を出力する手段とを備えるストック配置決定装置において、
その記憶装置に記憶されるストック識別データは、ストックのサイズとストックの配置規則とを含み、
その記憶装置に記憶されるストック配置規則は、各ストックとグループとの対応関係と、各グループと固定順位との対応関係と、各固定順位それぞれにおける各グループと変動順位との対応関係と、原稿上の領域と各グループとの間の予め設定された対応関係とされ、そのコンピュータにより、固定順位が上位のグループに対応するストックの配置決定が、固定順位が下位のグループに対応するストックの配置決定よりも優先して行われると共に、固定順位が同一である場合、変動順位が上位のグループに対応するストックの配置決定が、変動順位が下位のグループに対応するストックの配置決定よりも優先して行われ、
そのコンピュータにより、ストックの配置決定が上位のグループから順に、そのグループに対応するストックのストック識別データがその記憶装置から読み出されると共に、そのストックの空きアドレスの有無が、その空きアドレスを含む原稿上の領域にそのグループが対応しているか否か、そのグループに対応するストックのサイズが空きアドレスのサイズよりも小さいか若しくは一致するか否かにより判断され、
そのコンピュータにより、その原稿上の領域にそのグループが対応していると判断されると共にそのストックのサイズが空きアドレスのサイズよりも小さいか若しくは一致すると判断される場合は、そのストックがその空きアドレスに配置決定されることを特徴とするストック配置決定装置。
【請求項２】
その記憶装置に記憶されるストック配置規則においては、少なくとも一つのグループに複数のストックが対応され、そのグループに対応する各ストックと優先順位との関係がストック配置規則としてその記憶装置に記憶され、そのグループにおいてはその優先順位に従ってストックがそのコンピュータにより配置決定される請求項１に記載のストック配置決定装置。
【請求項３】
そのコンピュータにより、少なくとも一つの固定順位において、その固定順位に対応する一つのグループのストックが全て配置決定されたならば、そのグループの変動順位は当該固定順位内で最終順位に変更されると共にそのグループのストックは再配置される請求項１または請求項２に記載のストック配置決定装置。
【発明の詳細な説明】
【０００１】
【発明の属する技術分野】
本発明は、例えば求人広告誌やカタログ誌において、求人広告や商品広告をコラムによって区画して掲載する場合において、その複数ページにわたる原稿上における複数のコラムの配置を決定した後に、そのコラムの配置されない空きアドレスにおける複数のストックの配置を決定する装置に関する。
【０００２】
【従来の技術】
例えば求人広告誌においては、各ページが複数のコラムにより区画され、各コラム内に求人広告が記載される。
【０００３】
上記のようなコラムのサイズは通常一定ではなく、例えば１／２ページのサイズのコラム、１／４ページのサイズのコラム、１／８ページのサイズのコラム、１／１６ページのサイズのコラム、１／３２ページのサイズのコラムがある。
【０００４】
そのコラムはランダムに配置されるのではなく、例えば職種毎の章に原稿ページが分類され、各分類に応じて配置される。また、そのような求人広告誌を印刷する場合、通常は各ページ毎に印刷を行うのではなく、ページの正数倍の大きさの紙に複数ページの印刷を一挙に行ない、製本時にページ毎に裁断される。そのため、コラム面積の総和が、その印刷単位ページ面積の正数倍に一致しない場合、コラムの配置されない空きスペースが生じてしまう。そのような空きスペースを埋める場合に、ストックと呼ばれる本来の目的とする求人広告用コラムとは別の情報を記載するための補助コラムが配置される。
【０００５】
上記のようなコラムとストックの原稿上における配置決定を自動化するための装置が提案されている（特開平６‐７５９５０号）。この従来の装置においては、各ストックに固有のストック識別データと、ストック配置規則と、空きアドレスデータとを記憶する手段と、ストック識別データとストック配置規則とから各ストックの配置アドレスを決定する手段と、その決定結果を出力する手段とを備え、複数のコラムが配置された複数ページにわたる原稿上において、そのコラムの配置されない空きアドレスにおける複数のストックの配置を決定することができる。
【０００６】
【発明が解決しようとする課題】
上記従来の装置におけるストック配置規則によれば、ストックをサイズの点から均等に配分することはできたが、各ストックを内容に応じて振り分けることはできなかった。すなわち、各ストックには、例えば履歴書の書き方、面接要領、女性向け情報、男性向け情報、次号の発売予定日、発行元の宣伝広告といった種々の内容が記載される。そのため、同一分類職種のコラムが配置される原稿ページにおいて同一内容のストックが重複配置されたり、女性向け求人ページにおいて男性向け情報のストックが配置されたりするのを防止する必要がある。また、各分類職種のコラムが配置される原稿ページにおいて、例えば次号の発売予定日や発行元の宣伝広告といった優先して表示することが望まれる内容がある。しかし、従来の装置は単にストックのサイズに応じて配置を決定するに過ぎないため、内容に関しては人間の判断により配置を決定する必要があり、自動化をすることができなった。
【０００７】
膨大なページ数の原稿上に膨大な数のストックを手作業により配置するには多くの時間と労力を要するものであった。
【０００８】
本発明は、上記従来技術の問題を解決することのできるストック配置決定装置を提供することを目的とする。
【０００９】
【課題を解決するための手段】
本発明は、複数のコラムが配置された複数ページにわたる原稿上において、そのコラムの配置されない空きアドレスにおけるストックの配置を決定する装置であって、複数のストックそれぞれに固有のストック識別データと、ストック配置規則と、空きアドレスデータとを記憶する手段と、ストック識別データと空きアドレスデータとストック配置規則とから各ストックの配置アドレスを決定する手段と、その決定結果を出力する手段とを備えるストック配置決定装置において、そのストック配置規則として、各ストックとグループとの対応関係と、各グループと固定順位との対応関係と、各固定順位それぞれにおける各グループと変動順位との対応関係と、原稿上の領域と各グループとの対応関係とが、予め設定されて記憶され、そのストックの配置決定は固定順位に従ってなされ、各固定順位毎に、原稿上の空きアドレスに、その固定順位に対応する各グループに対応するストックが配置可能か否かが、ストック識別データ、空きアドレスデータ、および原稿上の領域と各グループとの対応関係に基づき、各グループ毎に変動順位に従って判断されると共に配置可能な場合は配置決定されることを特徴とする。
【００１０】
本発明において、少なくとも一つのグループに複数のストックが対応し、そのグループに対応する各ストックと優先順位との関係がストック配置規則として記憶され、そのグループにおいてはその優先順位に従ってストックが配置決定されるのが好ましい。
【００１１】
また、少なくとも一つの固定順位において、その固定順位に対応する一つのグループのストックが全て配置決定されたならば、そのグループの変動順位は当該固定順位内で最終順位に変更されると共にそのグループのストックは再配置可能とされるのが好ましい。
【００１２】
【発明の作用および効果】
本発明によりストック配置が決定される原稿におけるコラムの配置は、上記従来技術により決定されてもよいし、他の手段により決定されてもよく、コラムに関しては特に決定手段は限定されない。
【００１３】
空きアドレスデータとして、そのコラムの配置されない空きアドレスの配置ページ、その配置ページにおける位置、および空きアドレスのサイズを記憶する。また、ストック識別データとして、少なくとも、各ストックのサイズと識別コードとを記憶する。
【００１４】
ストック配置規則における各ストックのグループ分けは、ストックのサイズおよび内容を基準として予め定められ、同一サイズのものが同一グループとされ、また、同一サイズであっても内容に関連がなければ異なるグループとされる。例えば、女性向け情報用１／１６ページのサイズのストックと男性向け情報用１／１６ページのサイズのストックとは、サイズは同じであっても異なるグループとされる。また、１／１６ページのサイズのストックと１／３２ページのサイズのストックとは、女性向け情報用ストックとして内容的には関連していても異なるグループとされる。
【００１５】
各グループの固定順位は、グループの内容に応じて任意の順位が設定される。例えば、次号の発売予定日情報用ストックのグループの固定順位を第１位とし、発行元の宣伝広告情報用ストックのグループの固定順位を第２位とし、以下はストックのサイズが大きなグループ程固定順位を優先する。そのため、同一固定順位に単一のグループが対応する場合と、複数のグループが対応する場合とがあり得る。
【００１６】
各固定順位それぞれにおける各グループと変動順位との対応関係は、グループの属性に応じたものとされる。例えば、ある固定順位に、１／１６ページのサイズの女性向け情報用ストックのグループと、１／１６ページのサイズの男女双方向け情報用ストックのグループとが対応する場合、その固定順位においては、１／１６ページのサイズの女性向け情報用ストックのグループの変動順位が、１／１６ページのサイズの男女双方向け情報用ストックの変動順位よりも優先される。
【００１７】
原稿上の領域と各グループとの対応関係は、原稿の内容とグループの属性に応じて設定される。例えば、求人広告誌における男性向け職業関係の求人ページの領域には、女性向け情報用ストックのグループ以外のグループが対応付けられ、また、女性向け職業関係の求人ページの領域には、男性向け情報用ストックのグループ以外のグループが対応付けられる。
【００１８】
そのストックの配置決定は、各固定順位毎に固定順位に従ってなされる。すなわち、先ず、固定順位が一位のグループに属するストックの空きアドレスに対する配置決定が行われる。
【００１９】
各固定順位に対応する各グループに対応するストックが配置可能か否かは、ストック識別データ、空きアドレスデータ、および原稿上の領域と各グループとの対応関係に基づき、各グループ毎に変動順位に従って判断されると共に配置可能な場合は配置決定される。すなわち、その固定順位に対応するグループの中で、先ず、変動順位が一位のグループに属するストックが、その空きアドレスに配置可能か否かを決定する。その原稿上の領域がそのグループと対応し、そのストックのサイズが空きアドレスのサイズより小さいか等しければ、そのストックをその空きアドレスに配置することができる。その配置決定により、そのストックの識別コードと、その配置決定された空きアドレスの原稿のページと、そのページにおける位置とが対応付けられる。なお、空きアドレスの探索方法は、原稿ページの前に位置する空きアドレスデータから順にストックを配置可能か否か判断してもよいし、原稿ページの後に位置する空きアドレスデータから順にストックを配置可能か否か判断してもよく、さらに、各ページの最上段または最下段の空アドレスのみ探索してもよく、その探索方法はストックの属するグループに応じ任意に設定でき、その設定された探索方法は、そのグループに属するストックの識別データに含ませればよい。変動順位が一位のグループに属するストックを、その空きアドレスに配置できなければ、次は、変動順位が二位のグループに属するストックを、その空きアドレスに配置可能か否かを判断し、配置可能な場合は配置決定する。以下同様に変動順位が下位のグループに属するストックを、その空きアドレスに配置可能か否かを判断し、配置可能な場合は配置決定する。なお、全ての空きアドレスに必ずしもストックが配置される必要はないが、全ての空きアドレスに必ずストックを配置するためには、原稿上の全領域に対応付けできる内容の最小サイズのストックのグループを準備すればよい。
【００２０】
ストック識別データと、ストック配置規則と空きアドレスデータとは、コンピュータの記憶装置に記憶される。その記憶されたストック識別データと空きアドレスデータとストック配置規則とから、コンピュータにより各ストックの配置アドレスが決定される。その決定結果は記録媒体に出力される。その出力内容は、決定されたストックの配置のみを表すものであってもよいし、ストックの配置と内容とが一体化されたものであっもよい。ストックの配置と内容とが一体化されている場合は、印刷用原版の形態で出力されてもよい。
【００２１】
上記本発明の構成によれば、空きアドレスにストックを内容に応じて振り分けることができ、ストック配置の決定の自動化に供することができ、作業時間および作業労力を低減できる。
【００２２】
一つのグループに複数のストックが対応し、そのグループに対応する各ストックと優先順位との関係がストック配置規則とされ、そのグループにおいてはその優先順位に従ってストックが配置決定されることで、より柔軟にストックを内容に応じて振り分けることができる。すなわち、ストックのサイズは制限されることから、複数のストックに連続性のある内容を記載する場合がある。その連続性のある内容を記載した複数のストックを同一グループとし、そのグループにおける各ストックの優先順位をその内容に対応させることで、その内容の連続性に対応してストックを配置することができる。
【００２３】
固定順位に対応するグループのストックが全て配置決定されたならば、そのグループの変動順位が当該固定順位内で最終順位に変更され、そのグループのストックが再配置可能とされることで、ストックが不足するのを防止できる。
【００２４】
【発明の実施の形態】
以下、図面を参照して本発明の実施形態を説明する。
【００２５】
図１に示すストック配置決定装置は、求人広告誌において求人広告をコラムによって区画して掲載する場合において、その複数ページにわたる原稿上における複数のコラムの配置を決定した後に、そのコラムの配置されない空きアドレスにおけるストックの配置を決定するするものである。このストック配置決定装置は、各ストックに固有のストック識別データとストック配置規則の入力装置１と、コンピュータ２と、その原稿上における空きアドレスデータの入力装置３と、出力装置４とを備えている。各入力装置１、３は例えばキーボード式の入力装置、マグネットテープやフロッピーディスク等の記憶媒体の読み取り装置あるいはオンラインデータの読み取り装置等により構成できる。そのコンピュータ２は中央処理装置５と記憶装置６と入出力インタフェイス７とを備えたコンピュータにより構成することができる。その出力装置４は、例えば外部記憶装置、プリンタ、製版用フィルム出力装置等により構成することができる。
【００２６】
図２に示すように、その求人広告誌の複数ページにわたる原稿上Ｐにおいて、複数のコラムＣの配置と、そのコラムＣの配置されない空きアドレスＢとが決定されている。その空きアドレスＢの配置ページ、その配置ページにおける位置、および空きアドレスＢのサイズが、空きアドレスデータとして入力装置３からコンピュータ２に入力され、記憶装置６に記憶される。図２に示す空きアドレスＢは１ページの１／１６サイズであり、原稿の１ページにおける右欄の右側の中下段に位置している。
【００２７】
また、各ストックに固有のストック識別データが、入力装置３からコンピュータ２に入力され、記憶装置６に記憶される。そのストック識別データとして、少なくとも、各ストックのサイズと各ストックに固有の識別コードと各ストックの配置規則とが入力される。そのストック配置規則は、各ストックとグループとの対応関係と、各グループと固定順位との対応関係と、各固定順位それぞれにおける各グループと変動順位との対応関係と、原稿上の領域と各グループとの対応関係とを含む。その原稿上の領域と各グループとの対応関係とは、本実施形態では、原稿は内容に応じて複数の章に分類され、各章に対応する原稿ページそれぞれが、いずれかのグループと対応付けられる。この場合において、全ての章において配置されるグループもあれば、特定の章において配置されないグループもある。また、その章に配置されるグループに属するストックの、その章における許容配置数が制限される場合もあれば、制限されない場合もある。例えば、そのグループが、発売予定日情報用ストックＳＨ１のグループＨや、発行元の宣伝広告情報用ストックＳＩ１のグループＩのように、その章において複数配置する必要のない内容である場合は、その許容配置数は１とされる。
【００２８】
その記憶装置６は、入力されたストック配置規則に従ってストックの配置決定を行うための制御プログラムを記憶する。
【００２９】
図３は、ストックのグループ分けの一例を示すもので、グループＡに属する複数のストックＳＡ１、ＳＡ２、ＳＡ３…、グループＢに属する複数のストックＳＢ１、ＳＢ２、ＳＢ３…、グループＣに属する複数のストックＳＣ１、ＳＣ２、ＳＣ３…、グループＤに属する複数のストックＳＤ１、ＳＤ２、ＳＤ３…、グループＥに属する複数のストックＳＥ１、ＳＥ２、ＳＥ３…、グループＦに属する複数のストックＳＦ１…、グループＧに属する単一のストックＳＧ１…、グループＨに属する複数のストックＳＨ１…、グループＩに属する単一のストックＳＩ１、およびグループＪに属する単一のストックＳＪ１を示す。
【００３０】
各ストックのグループ分けは、ストックのサイズおよび内容を基準として予め定められ、同一サイズのものが同一グループとされ、また、同一サイズであっても内容が関連していなければ異なるグループとされる。例えば、女性向け情報用１／１６ページのサイズのストックはグループＣに属するが、男性向け情報用１／１６ページのサイズのストックはグループＤに属する。また、グループＦに属する１／３２ページのサイズのストックが女性向け情報用ストックであっても、１／１６ページのサイズのグループＣに属するストックとは異なるグループとされる。
【００３１】
各グループの固定順位は、グループの内容に応じて任意の順位が設定される。例えば、図４に示すように、次号の発売予定日情報用ストックＳＨ１のグループＩの固定順位を第１位とし、発行元の宣伝広告情報用ストックＳＩ１のグループＪの固定順位を第２位とし、以下はストックのサイズが大きなグループ程固定順位を優先する。図示の例では、第３位の固定順位に１／８ページのサイズのストックのグループＡ、Ｂが対応し、第４位の固定順位に１／１６ページのサイズのストックのグループＣ、Ｄ、Ｅが対応し、第５位の固定順位に１／３２ページのサイズのストックのグループＦ、Ｇ、Ｈが対応する。
【００３２】
各固定順位それぞれにおける各グループと変動順位との対応関係は、グループの属性に応じて任意に設定されたものとされる。例えば、図４に示す例において第４位の固定順位に、１／１６ページのサイズの女性向け情報用ストックのグループＣと、１／１６ページのサイズの男性向け情報用ストックのグループＤと、１／１６ページのサイズの男女双方向け情報用ストックのグループＥとが対応する場合、その固定順位においては、１／１６ページのサイズの女性向け情報用ストックのグループＣの変動順位が１位とされ、１／１６ページのサイズの男性向け情報用ストックのグループＤが２位とされ、１／１６ページのサイズの男女双方向け情報用ストックのグループＥの変動順位が３位とされる。
【００３３】
原稿上の領域と各グループとの対応関係は、原稿の内容とグループの属性に応じて設定される。例えば、原稿が内容に応じて複数の章に分類され、各章に対応する原稿ページそれぞれが、いずれかのグループと対応付けられる領域とされる。より具体的には、例えば求人広告誌における男性向け職業関係の求人ページの領域には、女性向け情報用ストックのグループＣ、Ｆ以外のグループが対応付けられ、また、女性向け職業関係の求人ページの領域には、男性向け情報用ストックのグループＤ以外のグループが対応付けられる。
【００３４】
一つのグループに複数のストックが対応する場合、そのグループに対応する各ストックと優先順位との関係が、ストック配置規則として記憶装置６に記憶される。また、各グループのストックが全て配置決定されたならば、そのグループの変動順位は最終順位に変更されると共にそのグループのストックは再配置可能とされる。例えば、図５に示すように、固定順位第３位において変動順位が１位のグループＡに属する複数のストックＳＡ１、ＳＡ２、ＳＡ３…ＳＡ７は、そのグループにおいてはストックＳＡ１から順に図中矢印で示すように配置決定され、また、最終優先順位の次の順位に対応するストック記憶領域に終了マークＱが記憶される。このように一つのグループに複数のストックが対応する場合、その複数のストックに連続性のある内容を記載することができる。例えば、最初に履歴書の書き方を記載し、次に面接の心得を記載し、次に就職後の心得を記載するといったことができる。この場合、そのグループにおける各ストックの優先順位を、その内容に対応させる。
【００３５】
以下、上記ストック配置決定装置による配置の決定手順を図６、図７のフローチャートを参照して説明する。なお、本実施形態においては、原稿は内容に応じて複数の章に分類され、各章に対応する原稿ページそれぞれが、いずれかのグループと対応付けられ、各章毎にストック配置が決定される。
【００３６】
先ず、ストック配置を行う原稿の章ｐの初期値を零とし、固定順位ｎの初期値を零とし、変動順位ｍの初期値を零とし、グループ内の優先順位ｋの初期値を零とする（ステップ１）。次に、その章をｐ＋１とする（ステップ２）。次に、その固定順位をｎ＋１とする（ステップ３）。次に、その変動順位ｍをｍ＋１とする（ステップ４）。次に、その優先順位ｋをｋ＋１とする（ステップ５）。次に、固定順位がｎ位、変動順位がｍ位のグループ内の優先順位がｋ位のストック記憶領域からデータを読み出し（ステップ６）、その読み出したデータが前述の終了マークＱか否かが判断される（ステップ７）。その読み出したデータが終了マークＱでなければ、すなわちストック識別データであれば、原稿の章ｐにおける原稿ページに、そのストックを配置可能な空きアドレスが有るか否かを、その章ｐの求人ページの領域に固定順位がｎ位、変動順位がｍ位のグループが対応付けられているか否か、ストックのサイズが空きアドレスのサイズよりも小さいか若しくは一致するか否かにより判断する（ステップ８）。その章ｐの求人ページの領域に固定順位がｎ位、変動順位がｍ位のグループが対応付けられ、そのストックのサイズが空きアドレスのサイズよりも小さいか若しくは一致すれば、そのストックをその空きアドレスに配置決定する（ステップ９）。その配置決定により、そのストック識別データと、その配置決定された空きアドレスの原稿のページと、そのページにおける位置とが対応付けられ、記憶装置６に記憶される。なお、空きアドレスの探索方法は、前述のように、原稿ページの前に位置する空きアドレスデータから順にストックを配置可能か否か判断してもよいし、原稿ページの後に位置する空きアドレスデータから順にストックを配置可能か否か判断してもよく、さらに、各ページの最上段または最下段の空アドレスのみ探索してもよく、その探索方法はストックの属するグループに応じ任意に設定でき、その設定した探索方法は、そのグループに属するストックの識別データに含ませる。
【００３７】
次に、その章ｐの原稿ページにおける、その変動順位ｍ位のグループに属するストックの配置決定数が、その章ｐにおける当該グループに属するストックの許容配置数を超えたか否かが判断される（ステップ１０）。その許容配置数を超えていなければ、ステップ５に戻り、下位の優先順位のストックの配置決定を上記と同様に行う。
【００３８】
ステップ７において終了マークＱが読み出されるか、ステップ８において固定順位ｎ位、変動順位ｍ位のグループのストックを配置可能な空きアドレスがないか、ステップ１０において章ｐにおける固定順位ｎ位、変動順位ｍ位のグループに属するストックの許容配置数を超えた場合、現在のグループ内の優先順位ｋの値を、現在の変動順位ｍに対応付けて記憶する。なお、ステップ７において終了マークＱが読み出された場合は、その記憶する優先順位ｋの値は零とする（ステップ１１）。次に、固定順位ｎ位に対応するグループの数をＭとして、ｍ＝Ｍか否か、すなわち現時点の変動順位が最終順位か否かを判断する（ステップ１２）。現時点の変動順位が最終順位であれば変動順位ｍの初期値を零とし（ステップ１３）、しかる後に固定順位を更新するか否かを判断する（ステップ１４）。これにより、その固定順位に対応する一つのグループのストックが全て配置決定されたならば、そのグループの変動順位を当該固定順位内で最終順位に変更すると共に、そのグループのストックを再配置することが可能になる。現時点の変動順位が最終順位でなければ、変動順位の初期値を変更することなく、ステップ１４において固定順位を更新するか否かを判断する。
【００３９】
そのステップ１４における固定順位を更新するか否かの判断は、まず、その章ｐの原稿ページに、その固定順位ｎ位のストックを配置可能な空きアドレスが残存するか否かを、その固定順位ｎ位に対応するグループのストックのサイズと空きアドレスのサイズとから判断することで行う。その空きアドレスデータが残存しなければ固定順位を更新すると判断し、空きアドレスが残存すれば固定順位を更新しないと判断する。また、その固定順位ｎ位に対応する全てのグループそれぞれのストックの配置決定数が、その章ｐにおけるそれぞれのグループに属するストックの許容配置数を超えている場合も、固定順位を更新すると判断し、そうでなければ固定順位を更新しないと判断する。
【００４０】
ステップ１４において固定順位を更新しないと判断した場合は、現在のグループ内の優先順位ｋの値を、現在の変動順位ｍに１を加えた変動順位ｍ＋１に対応付けて記憶されている値に置換する。なお、その変動順位ｍ＋１に対応付けて記憶されている値がない場合は、その現在の優先順位ｋの値を零に置換する（ステップ１７）。しかる後にステップ４に戻り、下位の変動順位のグループに属するストックの配置決定を上記と同様に行う。ステップ１４において固定順位を更新すると判断した場合、その固定順位ｎが、その章ｐにおける最終順位Ｎか否かを判断する（ステップ１５）。その固定順位ｎが最終順位Ｎでなければ、ステップ３に戻り、下位の固定順位に対応するグループに属するストックの配置決定を上記と同様に行う。
【００４１】
ステップ１５において、その固定順位ｎが、その章ｐにおける最終順位Ｎであれば、その章ｐが、原稿における最終章Ｐか否かを判断する（ステップ１６）。その章ｐが最終章Ｐでなければ、ステップ２に戻り、次の章において、上記同様にストックの配置決定を行う。その章ｐが、原稿における最終章Ｐであれば制御を終了する。
【００４２】
上記決定手順により記憶装置６に記憶されたストック配置は出力装置４に出力される。その出力内容は、決定されたストックの配置のみを表すものであってもよいし、ストックの配置と内容とが一体化されたものであっもよい。ストックの配置と内容とが一体化されている場合、すなわち、各コラムに対応して掲載される広告記事のデータおよびストックに対応して掲載される記事のデータが、コラム識別データおよびストック識別データに対応して記憶装置６に記憶される場合、その記事は、コラムおよびストックの配置アドレスに対応して出力可能とされており、実際の印刷内容に一致した出力を得ることができ、この場合、版下用フィルム原版等の形態で出力されてもよい。
【００４３】
上記構成によれば、空きアドレスにストックを内容に応じて振り分けることができ、ストック配置の決定の自動化に供することができ、作業時間および作業労力を低減でき、また、連続性のある内容を記載した複数のストックを、その内容の連続性に対応して配置することができ、さらに、ストックが不足するのを防止できる。
【００４４】
なお、本発明は上記実施形態に限定されるものではない。例えば、ストックのサイズやグループ分けの基準は特に限定されない。また、上記実施形態では求人広告誌のストック配置決定に本装置を用いたが、例えば商品広告用カタログにおけるストック配置を行う場合にも本発明装置を用いることができる。
【図面の簡単な説明】
【図１】  ストック配置決定装置の構成説明図
【図２】  原稿ページの説明図
【図３】  ストックのグループ分けの説明図
【図４】  固定順位と変動順位とグループとの対応関係を示す図
【図５】  グループにおけるストックの優先順位を示す図
【図６】  本発明の実施形態のストック配置の決定手順を示すフローチャート
【図７】  本発明の実施形態のストック配置の決定手順を示すフローチャート
【符号の説明】
１、３  入力装置
２  コンピュータ
４  出力装置
６  記憶装置
【図１】
0003791025.tif 000002
【図２】
0003791025.tif 000003
【図３】
0003791025.tif 000004
【図４】
0003791025.tif 000005
【図５】
0003791025.tif 000006
【図６】
0003791025.tif 000007
【図７】
0003791025.tif 000008